(57)【要約】【課題】組立が簡単でしかも、十分な強度を有すること。【解決手段】支持体１の筐体４の両側の側板１８・１８は、上板１９及び底板２０よりも前方に突出し、前部には外止部２１を内方に向かって突設してある。底板２０の前端には係止部７を設け、外止部２１の上端には受止部６を設けてある。腕杆２は、挿入部２６を除く周縁に突条部１０を設けてある。突条部１０は、上突条部１０ａと下突条部１０ｂを接続突条部１０ｃで接続して構成されている。腕杆２に係合部１２及び係合部１３を設け、上突条部１０ａの後端部に掛合部１１と抜止部１４を設けてある。腕杆２を支持体１に取り付けるには、腕杆２の挿入部２６を筐体４の側板１８・１８の間に下方から挿入して、下突条部１０ｂ、接続突条部１０ｃ及び上突条部１０ａを経て、ストッパー取付孔１７を上板１９の上方に位置させ、そのストッパー取付孔１７に表裏一対のストッパー１６を固定すればよい。【選択図】図２
2006087522.tif 000002
【特許請求の範囲】
【請求項１】
筐体を有する支持体と、竿受部を有する腕杆を具備し、支持体に腕杆を回動可能かつ摺動可能に取り付けて成り、腕杆が少なくとも水平状態及び垂直状態となる物干装置において、筐体は、前面が開口する箱状で、両側の側板が上板及び底板よりも前方に突出し、両側板のそれぞれ前部内面には、間隔を置いて相対向する一対の受止部を内方に向かって突設して成り、腕杆は、水平状態での上部に沿って厚さ方向に突出する上突条部を少なくとも設けると共に、周縁に上突条部よりも薄い挿入部を設け、さらに腕杆の上部には、後端部に抜止部を設けると共に、抜止部よりも先端側にストッパー取付孔を設けて成り、腕杆の挿入部が支持体の相対向する受止部の間を通過するように、腕杆を筐体の側板の間に下方から挿入して移動させ、腕杆が垂直で、腕杆の上突条部が受止部の内側に位置し、なおかつ、ストッパー取付孔が筐体の上方に位置すると共に、抜止部が筐体の下方に位置する状態で、ストッパー取付孔にストッパーを取り付けて組み立てて成り、腕杆は、抜止部とストッパーとの間で摺動可能で、抜止部が受止部に当接するまで上方に摺動した時、回動が可能となるように支持体に取り付けられたことを特徴とする物干装置。
【発明の詳細な説明】
【技術分野】
【０００１】
本発明は、ベランダ等に取り付けて、物干竿を挿通して使用する物干装置であって、組立が簡単でしかも、十分な強度を有する物干装置に関するものである。
【背景技術】
【０００２】
従来より、実願平４−３８８９１号（実開平５−９１５９４号）考案のように、腕杆を、支持体の筐体の上方から挿入し、腕杆後端部にストッパをねじ止めして、支持体に取り付けて組み立てる物干装置は提案されている。
【特許文献１】実開平５−９１５９４号のＣＤ−ＲＯＭ
【発明の開示】
【発明が解決しようとする課題】
【０００３】
上記従来例においては、組立は簡単であるが、最も強度負担が大きい腕杆の後端部に、ストッパー取付孔を開けてストッパーをねじ止めして固定することになるので、強度的に不利であるという問題があり、本発明は、この問題を解決することを課題としている。
【課題を解決するための手段】
【０００４】
本発明は、上記の課題を解決するための物干装置であり、筐体を有する支持体と、竿受部を有する腕杆を具備し、支持体に腕杆を回動可能かつ摺動可能に取り付けて成り、腕杆が少なくとも水平状態及び垂直状態となる物干装置において、筐体は、前面が開口する箱状で、両側の側板が上板及び底板よりも前方に突出し、両側板のそれぞれ前部内面には、間隔を置いて相対向する一対の受止部を内方に向かって突設して成り、腕杆は、水平状態での上部に沿って厚さ方向に突出する上突条部を少なくとも設けると共に、周縁に上突条部よりも薄い挿入部を設け、さらに腕杆の上部には、後端部に抜止部を設けると共に、抜止部よりも先端側にストッパー取付孔を設けて成り、腕杆の挿入部が支持体の相対向する受止部の間を通過するように、腕杆を筐体の側板の間に下方から挿入して移動させ、腕杆が垂直で、腕杆の上突条部が受止部の内側に位置し、なおかつ、ストッパー取付孔が筐体の上方に位置すると共に、抜止部が筐体の下方に位置する状態で、ストッパー取付孔にストッパーを取り付けて組み立てて成り、腕杆は、抜止部とストッパーとの間で摺動可能で、抜止部が受止部に当接するまで上方に摺動した時、回動が可能となるように支持体に取り付けられたことを特徴とする物干装置である。
【発明の効果】
【０００５】
以上のように本発明によれば、腕杆の上部には、後端部に抜止部を設けると共に、抜止部よりも先端側にストッパー取付孔を設けて成り、腕杆を筐体の側板の間に下方から挿入して、このストッパー取付孔にストッパーを取り付けて組み立てることができるので、最も強度負担が大きい腕杆の後端部にストッパー取付孔を設ける必要がなく、組立が簡単である上に、十分な強度が得られる物干装置を提供することができるという効果がある。
【実施例】
【０００６】
図１〜図１４に基づいて本発明の実施例を説明する。
本発明の物干装置は、ベランダの手摺等に固定される支持体１と、支持体１に回動可能かつ摺動可能に取り付けられる腕杆２を有している。
【０００７】
支持体１は、全体を金属で製し、略直方体で、前面と後面が開口している筐体４後部の上下両端に取付片５・５を設けて成る。筐体４の両側の側板１８・１８は、上板１９及び底板２０よりも少し前方に突出し、前部内面には、上下部を除いて、間隔を置いて相対向する一対の外止部２１を内方に向かって突設してある。外止部２１の上端には、外止部２１と同様に相対向し、後方に半円状に突出する一対の受止部６を設けてある。また、底板２０の前端は係止部７としてある。
【０００８】
側板１８・１８間には、２つの対称な半体３ａ・３ｂから成るカバー体３が、上板１９、底板２０、外止部２１及び受止部６のそれぞれ内面を被覆するように設けられている。カバー体３は、合成樹脂で成形され、底板２０の上面の位置に、間隔を置いて相対向し、上方に突出する一対の阻止部８を設けてある。このカバー体３は、半体３ａを筐体４の前方の開口から入れて一方側の側板１８内面にセットし、その後同じように、半体３ｂを筐体４の前方の開口から入れて他方側の側板１８内面にセットして、筐体４内に取り付けられる。
【０００９】
カバー体３が、２つの半体３ａ・３ｂから構成されているのは、上述のように筐体４内に取り付けるためであり、他の取付方法を採用すれば一体にすることも可能である。また本実施例では、阻止部８はカバー体３に設けてあるが、筐体の内部に設ければよいもので、本実施例に限定されない。
【００１０】
腕杆２は、複数の竿受部９・・・９を設けると共に、後端部を除く周縁に厚み方向に突出する突条部１０を設けてある。突条部１０は、腕杆２が水平状態での上縁に直線状の上突条部１０ａを設け、下縁に同じく直線状の下突条部１０ｂを設け、さらに上突条部１０ａと下突条部１０ｂを略半円状の接続突条部１０ｃで接続して構成され、後端部の突条部１０のない部分が挿入部２６となっている。挿入部２６は、突条部１０の厚さよりも薄くなっており、支持体１の外止部２１の間及び受止部６の間を通過できるようになっている。
【００１１】
なお、本発明においては、腕杆２の挿入部２６は、接続突条部１０ｃの一部を切り欠いたり厚さを薄くしたりすることによって、腕杆２の先端部に設けてもよい。要するに、後述するように腕杆２を支持体１に取り付ける際に、腕杆２の周縁のどこかに設けた、少なくとも上突条部１０ａの厚さよりも薄い挿入部２６が支持体１の外止部２１の間及び受止部６の間を通過できるようになっていればよい。また、腕杆２には、下突条部１０ｂ及び接続突条部１０ｃを設けずに、上突条部１０ａを設けるだけでもよい。
【００１２】
腕杆２には、後端部に、係止部７に選択的に係止される係合部１２及び係合部１３を設け、上突条部１０ａの後端部寄り内側に、受止部６に係止される円弧凹状の掛合部１１を設けてある。さらに腕杆２には、上突条部１０ａに設けた掛合部１１よりさらに後端部寄り内側に、受止部６に当接して腕杆２が支持体１から抜けるのを防ぐと共に、受止部６に係止されて腕杆２を水平状態に保持する円弧凹状の抜止部１４を設けてある。
【００１３】
そして、腕杆２の上突条部１０ａの後端部に、腕杆２をその先端が支持体１側へ近づく方向へ回動した時阻止部８に当接する当接部１５を設けてある。
また、腕杆２の上部には、ストッパー取付孔１７を設けてあり、そこに弾性を有する合成樹脂製のストッパー１６を固定できるようになっている。
【００１４】
腕杆２を支持体１に取り付けるには、腕杆２の挿入部２６を筐体４の側板１８・１８の間に下方から挿入して（図８参照）、挿入部２６が、相対向する外止部２１の間及び受止部６の間を通ると共に、下突条部１０ｂが、上板１９及び底板２０の前端部と外止部２１及び受止部６との間を通るように腕杆２を上方に移動し（図９参照）、接続突条部１０ｃが、上板１９及び底板２０の前端部と外止部２１及び受止部６との間を通るように腕杆２を回動し（図１０参照）、さらに、上突条部１０ａが、上板１９及び底板２０の前端部と外止部２１及び受止部６との間を通るように腕杆２を上方に移動して、ストッパー取付孔１７を上板１９の上方に位置させ（図１１参照）、そのストッパー取付孔１７に表裏一対のストッパー１６をねじ２４とナット２５で固定すればよい（図１２及び図１４参照）。
【００１５】
本発明を使用するには、腕杆２が取り付けられた支持体１を、その取付片５・５によってベランダの手摺等に２つ一組として固着して、それぞれの竿受部９・・・９に物干竿を挿架すればよい。
【００１６】
腕杆２を斜め上向きの使用状態に設定するには、腕杆２の後端部略中央部の係合部１３が支持体１の係止部７に係止されると共に、掛合部１１が受止部６に係止されるようにすればよい（図２参照）。
【００１７】
次に、腕杆２を斜め上向きの使用状態から水平の使用状態に設定するには、腕杆２を上方に移動して、係合部１３と係止部７との係止状態及び掛合部１１と受止部６との係止状態を解除し、腕杆２を下方へ回動する。すると、腕杆２の後端部下部の係合部１２が支持体１の係止部７に係止されると共に、抜止部１４が受止部６に係止されて、腕杆２は水平状態に設定される（図４参照）。
逆に、腕杆２を水平の使用状態から斜め上向きの使用状態に設定するには、単に腕杆２を斜め上向きになるまで上方に回動するだけでよい。
【００１８】
腕杆２を斜め上向きの使用状態から垂直の収納状態に設定するには、腕杆２を上方に移動して、係合部１３と係止部７との係止状態及び掛合部１１と受止部６との係止状態を解除し、腕杆２を垂直になるまでその先端が支持体１側へ近づく方向へ回動し、その後下方へ移動する。すると、腕杆２に取り付けたストッパー１６が支持体１の受止部６に当接して腕杆２は垂直の収納状態になる（図１３参照）。ストッパー１６は、前述のように弾性を有する合成樹脂製なので消音効果があり、受止部６に当接する時、大きな音を発することがない。
【００１９】
腕杆２が斜め上向きの使用状態の時、竿受部９・９に挿架された物干竿に干された洗濯物が風に煽られる等して、腕杆２が、その先端が支持体１側へ近づく方向へ回動しようとすると、（腕杆２を上方に移動していないため）腕杆２の当接部１５が筐体４の阻止部８に当接すると共に、上突条部１０ａが筐体４の上板１９に被覆されたカバー体３に当接して（図３参照）、腕杆２は、その先端が支持体側へ近づく方向への回動を阻止されるので、腕杆２が垂直になって下方に摺動して収納状態になることはない。
【図面の簡単な説明】
【００２０】
【図１】腕杆が斜め上向きの使用状態を示す正面図である。
【図２】図１の要部拡大断面図である。
【図３】図２の状態から腕杆をその先端が支持体側へ近づく方向へ少し回動した状態の要部拡大断面図である。
【図４】腕杆が水平の使用状態を示す要部拡大断面図である。
【図５】要部の分解斜視図である。
【図６】図５の支持体を断面にした斜視図である。
【図７】図６のカバー体の半体を外した状態の斜視図である。
【図８】腕杆を支持体の下方から挿入する状態を示す要部拡大断面図である。
【図９】図８の状態から腕杆を上方へ移動した状態を示す要部拡大断面図である。
【図１０】図９の状態から腕杆を１８０度回動した状態を示す要部拡大断面図である。
【図１１】図１０の状態から腕杆を上方へ移動した状態を示す要部拡大断面図である。
【図１２】図１１の状態でストッパー取付孔にストッパーを取り付けた状態を示す要部拡大断面図である。
【図１３】腕杆が垂直の収納状態を示す要部拡大断面図である。
【図１４】図１２のＡ−Ａ線端面図である。
【符号の説明】
【００２１】
１    支持体
２    腕杆
４    筐体
６    受止部
９    竿受部
１０    突条部
１０ａ  上突条部
１０ｂ  下突条部
１０ｃ  接続突条部
１５    当接部
１４    抜止部
１６    ストッパー
１７    ストッパー取付孔
１８    側板
１９    上板
２０    底板
２１    外止部
２６    挿入部
【図１】
2006087522.tif 000003
【図２】
2006087522.tif 000004
【図３】
2006087522.tif 000005
【図４】
2006087522.tif 000006
【図５】
2006087522.tif 000007
【図６】
2006087522.tif 000008
【図７】
2006087522.tif 000009
【図８】
2006087522.tif 000010
【図９】
2006087522.tif 000011
【図１０】
2006087522.tif 000012
【図１１】
2006087522.tif 000013
【図１２】
2006087522.tif 000014
【図１３】
2006087522.tif 000015
【図１４】
2006087522.tif 000016